(57)【特許請求の範囲】
【請求項１】
第１の表示部と、第２の表示部と、前記第１の表示部の制御を行う第１の制御部と、前記第２の表示部の制御を行う第２の制御部と、前記第１の制御部からアクセス可能な第１のメモリと、前記第２の制御部からアクセス可能な第２のメモリと、を備える表示装置において、
前記第２の制御部の起動に要する時間は、前記第１の制御部の起動に要する時間よりも短く、
前記表示装置を電源ＯＮ状態からスタンバイ状態にする指示を受信すると、
前記第２の制御部から、前記第１の制御部に対して電源ＯＦＦ要求を送信し、
前記第１の制御部が、前記電源ＯＦＦ要求に応答して、予め定められた前記第２の表示部で表示すべき情報を、前記第１のメモリから読み出して前記第２の制御部へ送信した後、自身の電源をＯＦＦし、
前記第２の制御部が、前記第１の制御部から受信した前記第２の表示部で表示すべき情報を前記第２のメモリに保存した後、自身の電源をＯＦＦすることにより、前記表示装置を前記スタンバイ状態にし、
前記スタンバイ状態において、前記表示装置を電源ＯＮ状態にする指示を受信すると、前記第２の制御部の電源をＯＮし、前記第２の制御部は、電源がＯＮされると前記第１の制御部に電源ＯＮ要求を出力するとともに、前記第２のメモリから前記第２の表示部で表示すべき情報を読み出し、前記第２の表示部に表示させることを特徴とする表示装置。
【請求項２】
第１の表示部と、第２の表示部と、前記第１の表示部の制御を行う第１の制御部と、前記第２の表示部の制御を行う第２の制御部と、前記第１の制御部からアクセス可能な第１のメモリと、前記第２の制御部からアクセス可能な第２のメモリと、を備える表示装置において、
前記第２の制御部の起動に要する時間は、前記第１の制御部の起動に要する時間よりも短く、
前記表示装置を、電源ＯＮ状態からスタンバイ状態にする指示を受信すると、
前記第２の制御部が、前記第１の制御部に対して電源ＯＦＦ要求を送信した後、自身の電源をＯＦＦし、
前記第１の制御部が、前記電源ＯＦＦ要求に応答して、予め定められた前記第２の表示部で表示すべき情報を前記第１のメモリに保存した後、自身の電源をＯＦＦすることにより、前記表示装置を前記スタンバイ状態にし、
前記スタンバイ状態において、前記表示装置を電源ＯＮ状態にする指示を受信すると、前記第２の制御部の電源をＯＮし、前記第２の制御部は電源がＯＮされると、前記第１の制御部に電源ＯＮ要求を出力し、
前記第１の制御部が、前記電源ＯＮ要求に応答して、前記第１の制御部の起動処理に先立ち、前記第２の表示部で表示すべき情報を前記第１のメモリから読み出して前記第２の制御部に送信し、
前記第２の制御部が、前記第１の制御部から受信した、前記第２の表示部で表示すべき情報を、前記第２のメモリに保存するとともに前記第２の表示部に表示させることを特徴とする表示装置。
【請求項３】
前記第２の表示部で表示すべき情報が、前記第１の制御部が前記電源ＯＦＦ要求を受信した際に前記第１の表示部で表示していた映像の放送元についての情報または、前記第１の制御部が前記電源ＯＦＦ要求を受信した際の音量についての情報を含むことを特徴とする請求項１または請求項２に記載の表示装置。
【請求項４】
前記第２の制御部が前記第１の制御部に電源ＯＮ要求を出力してから、前記第１の制御部から起動処理の完了が通知されるまでの間に、前記映像の放送元または前記音量を変更する指示を受けると、前記第２の制御部は、変更後の前記映像の放送元または前記音量についての情報を前記第２の表示部に表示させるとともに、前記第２のメモリに保存し、
前記第１の制御部は、前記第２の制御部からの電源ＯＮ要求を受けた後、起動処理が完了すると、前記起動完了通知を前記第２の制御部に送信し、
前記第２の制御部は、前記第１の制御部からの起動完了通知に応答して、前記第２のメモリから前記変更後の前記映像の放送元または前記音量についての情報を読み出して、前記第１の制御部に送信し、
前記第１の制御部は、前記第２の制御部から受信した前記変更後の前記映像の放送元または前記音量についての情報に基づいて、前記映像の放送元または前記音量を変更する制御を行うことを特徴とする請求項３に記載の表示装置。
【請求項５】
第１の表示部と、第２の表示部と、前記第１の表示部の制御を行う第１の制御部と、前記第２の表示部の制御を行う第２の制御部と、前記第１の制御部からアクセス可能な第１のメモリと、前記第２の制御部からアクセス可能な第２のメモリと、を備え、前記第２の制御部の起動に要する時間は、前記第１の制御部の起動に要する時間よりも短い表示装置の制御方法であって、
前記表示装置を、電源ＯＮ状態からスタンバイ状態にする指示を受信すると、
前記第２の制御部が、前記第１の制御部に対して電源ＯＦＦ要求を送信する工程と、
前記第１の制御部が、前記電源ＯＦＦ要求に応答して、予め定められた前記第２の表示部で表示すべき情報を、前記第１のメモリから読み出して前記第２の制御部へ送信した後、自身の電源をＯＦＦする工程と、
前記第２の制御部が、前記第１の制御部から受信した前記第２の表示部で表示すべき情報を前記第２のメモリに保存した後、自身の電源をＯＦＦすることにより、前記表示装置を前記スタンバイ状態にする工程と、
前記スタンバイ状態において、前記表示装置を電源ＯＮ状態にする指示を受信すると、前記第２の制御部の電源をＯＮする工程と、
電源をＯＮされると、前記第２の制御部が、前記第１の制御部に電源ＯＮ要求を出力するとともに、前記第２のメモリから前記第２の表示部で表示すべき情報を読み出し、前記第２の表示部に表示させる工程とを有することを特徴とする表示装置の制御方法。
【請求項６】
第１の表示部と、第２の表示部と、前記第１の表示部の制御を行う第１の制御部と、前記第２の表示部の制御を行う第２の制御部と、前記第１の制御部からアクセス可能な第１のメモリと、前記第２の制御部からアクセス可能な第２のメモリと、を備え、前記第２の制御部の起動に要する時間は、前記第１の制御部の起動に要する時間よりも短い表示装置の制御方法であって、
前記表示装置を、電源ＯＮ状態からスタンバイ状態にする指示を受信すると、
前記第２の制御部が、前記第１の制御部に対して電源ＯＦＦ要求を送信した後、自身の電源をＯＦＦする工程と、
前記第１の制御部が、前記電源ＯＦＦ要求に応答して、予め定められた前記第２の表示部で表示すべき情報を前記第１のメモリに保存した後、自身の電源をＯＦＦすることにより、前記表示装置を前記スタンバイ状態にする工程と、
前記スタンバイ状態において、前記表示装置を電源ＯＮ状態にする指示を受信すると、前記第２の制御部の電源をＯＮする工程と、
電源をＯＮされると、前記第２の制御部が、前記第１の制御部に電源ＯＮ要求を出力する工程と、
前記第１の制御部が、前記電源ＯＮ要求に応答して、前記第１の制御部の起動処理に先立ち、前記第２の表示部で表示すべき情報を前記第１のメモリから読み出して前記第２の制御部に送信する工程と、
前記第２の制御部が、前記第１の制御部から受信した、前記第２の表示部で表示すべき情報を前記第２のメモリに保存するとともに前記第２の表示部に表示させる工程とを有することを特徴とする表示装置の制御方法。
【発明の詳細な説明】
【技術分野】
【０００１】
本発明は、表示装置及びその制御方法に関し、特には表示部を複数有する表示装置およびその制御方法に関する。
【背景技術】
【０００２】
近年、デジタル放送やインターネットの普及により、様々な情報を取得して表示するような電気機器が広く普及するようになった。
【０００３】
例えば特許文献１には、放送番組を表示するメインディスプレイの他に番組情報を提示するサブディスプレイを持つテレビジョン受像機において、スタンバイ時に視聴者の嗜好情報に適合した番組情報をサブディスプレイに表示することが開示されている。
【０００４】
一方で、環境問題などを背景に、電気機器における消費電力の低減も強く求められている。例えば特許文献２には、複数のＣＰＵを有する表示装置において、待機状態となる場合には、副ＣＰＵでスクリーンセーバーの表示制御を行い、主ＣＰＵはサスペンド状態とすることにより、待機時の消費電力を抑制することが開示されている。
【０００５】
【特許文献１】特開２００７−０５３５１８号公報
【特許文献２】特開平１１−２３１８５０号公報
【発明の開示】
【発明が解決しようとする課題】
【０００６】
特許文献１に開示されるテレビジョン受像機は、メインディスプレイとサブディスプレイの両方の表示制御を同一の制御部が行っている。このため、スタンバイ時にサブディスプレイ上にのみ情報表示する場合でも、メインディスプレイに対応する消費電力が削減されるに留まる。
【０００７】
消費電力の削減という観点からすれば、特許文献２記載の構成のように制御部を複数にして、サブ制御部によりサブディスプレイの表示制御を行う方法を採用する方が効果的であると考えられる。しかし、スタンバイ時に表示すべき情報がメイン制御部に保存されている場合には、複数の制御部を有する構成を採用してもメイン制御部をサスペンド状態にはできず、制御部が１つの場合と消費電力低減効果に差がつかない。
【０００８】
メイン制御部が有する情報と同じ情報をサブ制御部に持たせればこの問題は解決される。しかし、スタンバイ状態で表示を行うために同一の情報を複数の制御部に持たせることは、メモリ容量の増加や情報を複製する処理の増加を伴い、効率的でない。
【０００９】
本発明はこのような従来技術の課題に鑑みてなされたものであり、その目的は、複数の表示部を有する表示装置において、簡便な構成で、消費電力を抑制しつつ、待機時の情報表示を実現することにある。
【課題を解決するための手段】
【００１０】
上述の目的は、第１の表示部と、第２の表示部と、第１の表示部の制御を行う第１の制御部と、第２の表示部の制御を行う第２の制御部と、第１の制御部からアクセス可能な第１のメモリと、第２の制御部からアクセス可能な第２のメモリと、を備える表示装置において、第２の制御部の起動に要する時間は、第１の制御部の起動に要する時間よりも短く、表示装置を電源ＯＮ状態からスタンバイ状態にする指示を受信すると、第２の制御部から、第１の制御部に対して電源ＯＦＦ要求を送信し、第１の制御部が、電源ＯＦＦ要求に応答して、予め定められた第２の表示部で表示すべき情報を、第１のメモリから読み出して第２の制御部へ送信した後、自身の電源をＯＦＦし、第２の制御部が、第１の制御部から受信した第２の表示部で表示すべき情報を第２のメモリに保存した後、自身の電源をＯＦＦすることにより、表示装置をスタンバイ状態にし、スタンバイ状態において、表示装置を電源ＯＮ状態にする指示を受信すると、第２の制御部の電源をＯＮし、第２の制御部は、電源がＯＮされると前記第１の制御部に電源ＯＮ要求を出力するとともに、第２のメモリから第２の表示部で表示すべき情報を読み出し、第２の表示部に表示させることを特徴とする表示装置によって達成される。
【００１１】
上述の目的は、第１の表示部と、第２の表示部と、第１の表示部の制御を行う第１の制御部と、第２の表示部の制御を行う第２の制御部と、第１の制御部からアクセス可能な第１のメモリと、第２の制御部からアクセス可能な第２のメモリと、を備える表示装置において、第２の制御部の起動に要する時間は、第１の制御部の起動に要する時間よりも短く、表示装置を、電源ＯＮ状態からスタンバイ状態にする指示を受信すると、第２の制御部が、第１の制御部に対して電源ＯＦＦ要求を送信した後、自身の電源をＯＦＦし、第１の制御部が、電源ＯＦＦ要求に応答して、予め定められた第２の表示部で表示すべき情報を第１のメモリに保存した後、自身の電源をＯＦＦすることにより、表示装置をスタンバイ状態にし、スタンバイ状態において、表示装置を電源ＯＮ状態にする指示を受信すると、第２の制御部の電源をＯＮし、第２の制御部は電源がＯＮされると、前記第１の制御部に電源ＯＮ要求を出力し、第１の制御部が、電源ＯＮ要求に応答して、第１の制御部の起動処理に先立ち、前記第２の表示部で表示すべき情報を第１のメモリから読み出して第２の制御部に送信し、第２の制御部が、第１の制御部から受信した、第２の表示部で表示すべき情報を、第２のメモリに保存するとともに第２の表示部に表示させることを特徴とする表示装置によっても達成される。
【発明の効果】
【００１４】
このような構成により、本発明によれば、複数の表示部を有する表示装置において、簡便な構成で、消費電力を抑制しつつ、待機時の情報表示が可能である。
【発明を実施するための最良の形態】
【００１５】
以下、添付図面を参照して、本発明の好適かつ例示的な実施形態について説明する。
なお、以下の説明においては、複数の表示部を有する表示装置の一例として、テレビジョン受像機を用いた場合について説明する。しかし、本発明は、テレビジョン受像機のみならず、複数の表示部を有する任意の表示装置に適用可能である。
【００１６】
（第１の実施形態）
図１は、本発明の第１の実施形態に係る表示装置の一例としてのテレビジョン受像機を画面側から見た外観の例を示す図である。
【００１７】
本実施形態のテレビジョン受像機１００は、複数の表示部として、メインディスプレイ１０１とサブディスプレイ１０３を備えている。本実施形態において、メインディスプレイ１０１とサブディスプレイ１０３は、それぞれ後述するメイン制御部２０１とサブ制御部３０１によって独立して電源ＯＮ、ＯＦＦの制御が可能である。
【００１８】
本実施形態では、サブディスプレイ１０３はメインディスプレイ１０１よりも表示領域が小さく、メインディスプレイ１０１の代用として映像を表示するよりは、文字情報のような補助的な情報の表示を目的としている。
【００１９】
メインディスプレイ１０１には、受信した放送番組の映像信号や、ＨＤＤレコーダなど外部機器からの映像信号を表示する。また、サブディスプレイ１０３にはメインディスプレイ１０１に表示中の映像送信元の情報（放送局名、チャンネル情報など）や音量値、表示中の番組の付随情報などの文字情報を表示する。
【００２０】
図２は、本実施形態のテレビジョン受像機１００の機能構成例を示すブロック図である。
メイン制御部２０１はメインディスプレイ１０１の表示制御を行う。またチューナ２１１で受信した放送信号に含まれる付随情報をデコーダ２０９で取り出し、メモリ２０３に格納する処理もメイン制御部２０１で行う。
【００２１】
サブ制御部３０１は、サブディスプレイ１０３の表示制御を行う。またサブディスプレイ１０３に表示するデータはメモリ３０７に格納している。スタンバイ時など、メイン制御部２０１が動作していない時は、メモリ３０７に蓄積しているデータをサブ制御部３０１がサブディスプレイ１０３上に表示する。
【００２２】
ユーザは、図示しないリモコンを用い、テレビジョン受像機１００を操作したり、各種の指示を与えることができる。リモコンが出力する、例えば赤外線によるリモコン信号はリモコン受光部３０５で受信し、サブ制御部３０１から通信線５０１を通じてメイン制御部２０１に送られる。そして、メイン制御部２０１は、リモコン信号に従った制御を実行する。
【００２３】
テレビジョン受像機１００はまた、ビデオレコーダなどの外部装置を接続するための外部機器インタフェース４０１、４０３及び４０５を有している。例えば外部機器インタフェース４０１、４０３、４０５が外部機器からテレビジョン受像機１００を制御するための信号をサポートするインタフェースの場合、そのような制御信号は通信線５０３を通じてサブ制御部３０１に送られる。そのようなインタフェースの例としては、ＨＤＭＩ(High-Definition Multimedia Interface)規格があり、制御信号の規格としてＣＥＣ(Consumer Electronics Control)をサポートしている。
【００２４】
図１は、本実施形態のテレビジョン受像機１００のシステムシャットダウン前の表示状況の例を示している。図１において、メインディスプレイ１０１には放送番組の映像が表示されており、サブディスプレイ１０３にはメインディスプレイ１０１で表示している放送番組の送信元（チャンネル番号、放送局名）及び、音量値が表示されている。
【００２５】
図３は、本実施形態のテレビジョン受像機１００における、システム起動直後の表示状況の例を示している。
これは、図１で示した状態でユーザから電源ＯＦＦを受けた後、再び電源ＯＮの指示を受けた直後の状態に相当する。
【００２６】
メイン制御部２０１の起動および放送波から映像信号を再構築するデコーダ２０９の起動には時間がかかる。そのため、電源ＯＮ直後に外部機器からの映像や放送番組の映像をメインディスプレイ１０１で表示するのは困難である。
【００２７】
そこで、本実施形態のテレビジョン受像機１００は、電源ＯＮの指示があった場合には、起動に要する時間が短いサブ制御部３０１を用いて、直ちにサブディスプレイ１０３に情報表示を行う。具体的には、本実施形態のテレビジョン受像機１００は、メイン制御部２０１およびデコーダ２０９の起動等が完了し、メインディスプレイ１０１に映像表示できるようになるまで、表示される予定の映像に関する情報をサブディスプレイ１０３に表示する。
【００２８】
表示される予定の映像に関する情報とは、放送番組の映像が表示される予定であれば、例えばその番組の送信元（チャンネル番号、放送局名など）や音量値の情報であってよい。また、外部機器の映像が表示される予定であれば、外部機器が接続されたインタフェースを特定する情報（「ＨＤＭＩ入力」、「外部入力１」等のインタフェース名や番号など）や音量値の情報であってよい。
【００２９】
このように、電源ＯＮの指示に対して実際に映像が表示までの間に、表示予定の映像に関する情報をユーザに与えることで、ユーザは指示がテレビジョン受像機１００に伝わっていることを確認できる。また、ユーザは、必要に応じてチャンネルや音量を変更する操作を、映像が表示される前でも直ちに行うことができる。
【００３０】
図４は、本実施形態のテレビジョン受像機１００が電源ＯＮの状態から、電源ＯＦＦされ、再度電源ＯＮの状態に至るまでにおける、メイン制御部２０１とサブ制御部３０１の処理を説明するタイミングチャートである。
【００３１】
Ｓ１０１でユーザが図示しないリモコンの電源ボタンを押下すると、サブ制御部３０１は、リモコン受光部３０５を通じ、電源操作指示を受け取る。現在は電源ＯＮ状態であるから、電源操作は電源ＯＦＦ要求である。
電源ＯＦＦ要求を受け取ったサブ制御部３０１は、Ｓ１０３で、メイン制御部２０１に対してシャットダウン要求を送信する。
【００３２】
メイン制御部２０１はシャットダウン要求を受信すると、その時点でメインディスプレイ１０１に表示している映像に関する情報をサブ制御部３０１へ送信する（Ｓ１０５）。ここで、映像に関する情報は、映像が放送番組に係る映像であれば、放送元情報（チャンネル番号、放送局名）や音量の情報であってよい。また、メインディスプレイ１０１に外部機器からの映像を表示していた場合には、放送元情報としての、どの外部機器インタフェースに接続されている外部機器からの映像を表示していたかの情報と、音量の情報とをサブ制御部３０１へ送信する。
【００３３】
そして、メイン制御部２０１は、メインディスプレイ１０１やデコーダ２０９など、サブ制御部３０１の制御対象でなく、スタンバイ状態では電源ＯＦＦする構成についての電源ＯＦＦ処理を行い、最後に自身の電源をＯＦＦして、動作を終了する（Ｓ１１１）。
【００３４】
サブ制御部３０１では、Ｓ１０５でメイン制御部２０１が送信した情報（放送元情報と音量情報とする）を受信し、それぞれメモリ３０７に保存する（Ｓ１０７）。そして、サブ制御部３０１は、サブディスプレイ１０３など自身の制御対象の構成の電源をＯＦＦした後、自身の電源をＯＦＦし、動作を終了する（Ｓ１１３）。
【００３５】
これにより、スタンバイ状態（待機状態）となる。スタンバイ状態では、リモコンからの電源操作指示を認識したり、予約処理などを行うための必要最小限の機能ブロックのみが電源ＯＮ状態となり、消費電力を節約する。
【００３６】
スタンバイ状態において、ユーザがリモコンの電源ボタンを押下する（Ｓ１１５）。現状は電源ＯＦＦ状態であるから、リモコン受光部３０５は電源操作指示が電源ＯＮ要求であると理解する。これにより、リモコン受光部３０５は、サブ制御部３０１を起動させる起動信号を出力する。
【００３７】
サブ制御部３０１は起動信号に応答して、サブディスプレイ１０３含む制御対象の各部への電源供給を始めとする起動処理を行う。起動後、メイン制御部２０１に対してシステム起動要求を送信する（Ｓ１１７）。システム起動要求に応答して、メイン制御部２０１はメインディスプレイ１０１、チューナ２１１及びデコーダ２０９を含む制御対象の各部への電源供給を始めとした起動処理を開始する。
【００３８】
システム起動要求送信後、サブ制御部３０１はメモリ３０７から、Ｓ１０７で保存した放送元情報及び音量情報を読み込む（Ｓ１１９）。そして、これらの情報をサブディスプレイ１０３に表示させる（Ｓ１２１）。
【００３９】
サブ制御部３０１は、メイン制御部２０１からのシステム起動完了通知を待つ間、リモコン受光部３０５を通じてチャンネル、映像入力元、音量などの変更指示があった場合にはその指示を受け付けることができる。
【００４０】
図５は、システム起動要求を出力してから、システム起動完了通知を受信するまでの間にサブ制御部３０１が行う処理を示すフローチャートである。
【００４１】
Ｓ３０１でサブ制御部３０１は、リモコン受光部３０５または外部機器インタフェース４０１、４０３、４０５のいずれかで信号を受信したかどうか検知する。もし信号の受信を検知した場合、Ｓ３０３に進む。
【００４２】
Ｓ３０３でサブ制御部３０１は、Ｓ３０１で受信した信号が放送波のチャンネル変更または入力元の切り替えであるか否かで処理を分岐している。すなわちもし放送波のチャンネル変更または入力元の切替であった場合は処理をＳ３０９へ、否であった場合は処理をＳ３０５へ進める。
【００４３】
Ｓ３０５でサブ制御部３０１は、Ｓ３０１で受信した信号が音量の変更であるか否かで処理を分岐している。すなわちもし音量の変更であった場合は処理をＳ３０７へ進める。否であった場合はＳ３０１へ処理を戻し、新たな信号受信の検知を繰り返す。
【００４４】
Ｓ３０７でサブ制御部３０１は、変更後の音量値をメモリ３０７に格納し、その後、処理をＳ３０１へ戻して次の信号受信の検知を行う。
【００４５】
Ｓ３０９でサブ制御部３０１は、変更後の放送元情報（変更後のチャンネル番号もしくは外部機器インタフェース番号）をメモリ３０７に格納し、その後、処理をＳ３０１へ戻して次の信号受信の検知を行う。
【００４６】
このように受け付けた指示を、サブディスプレイ１０３の表示や、メイン制御部２０１への指示に反映させても良い。具体的には、チャンネル（映像入力元）の変更指示があった場合には、チャンネル番号及び放送局名（又はインタフェース名）の表示を変更し、音量の変更指示があれば音量値の表示を変更することができる。これにより、ユーザに対して操作が受け付けられていることをフィードバックすることができる。そして、サブ制御部３０１は、変更後の放送元情報及び音量情報をメモリ３０７に保存する。
【００４７】
メイン制御部２０１は、起動処理が終了すると、システム起動完了通知をサブ制御部３０１へ送信する（Ｓ１２７）。
【００４８】
サブ制御部３０１は、システム起動完了通知を受信すると、メモリ３０７から放送元情報と音量情報を読み出し、メイン制御部２０１へ送信する（Ｓ１２９）。メイン制御部２０１からのシステム起動完了通知を待つ間に映像の入力元（チャンネルや外部機器インタフェース）や音量の変更指示があった場合には、変更後の放送元情報及び音量情報がメイン制御部２０１へ送信される。
【００４９】
メイン制御部２０１は、サブ制御部３０１から受信した放送元情報及び音量情報を用いてチューナ２１１やデコーダ２０９等を制御し、電源ＯＦＦされた際にメインディスプレイ１０１に表示していたチャンネルや音量で映像信号の表示や音声の出力を開始する。
【００５０】
以上説明したように、本実施形態の表示装置は、第１の表示部（メインディスプレイ１０１）と、第１の表示部より小型の第２の表示部（サブディスプレイ１０３）を有する。また、第１の表示部の制御を行う第１の制御部（メイン制御部２０１）と、第２の表示部の制御を行う第２の制御部（サブ制御部３０１）とを有する。そして、電源ＯＦＦの指示に応答して、第１の制御部から、第２の制御部へ、次回の起動時に表示すべき情報（例えば放送元情報や音量情報）を通知して、待機状態に移行する。第２の制御部は、受信した、次回の起動時に表示すべき情報を保存し、待機状態に移行する。
【００５１】
待機状態で電源ＯＮの指示があると、起動時間の短い第２の制御部が先ず起動し、第１の制御部の起動を開始させるとともに、保存された情報を第２の表示部に表示させる。そのため、第１の制御部の起動が完了せず、第１の表示部に映像を表示できない間も、第２の表示部を通じて情報をユーザに提供することができる。
【００５２】
また、待機状態においては、第１及び第２の表示部、第１及び第２の制御部とも電源ＯＦＦ状態とすることができるので、待機電力を削減することが可能である。
【００５３】
なお、本実施形態では、起動時に第２の表示部に表示すべき情報の一例として、テレビジョン受像機が電源ＯＦＦ指示を受けた際に第１の表示部に表示していた映像に関する情報を説明した。しかし、第１の制御部から第２の制御部へ送信する、起動時に表示すべき情報は、これ以外の情報を含んでいてもよい。
【００５４】
（第２の実施形態）
次に、本発明の第２の実施形態について説明する。なお、本実施形態に係る表示装置も第１の実施形態で説明したテレビジョン受像機１００と同様の外観、機能構成であってよいため、重複する説明は省略する。
【００５５】
図６は、本実施形態のテレビジョン受像機１００が電源ＯＦＦされた状態から電源ＯＮの状態に至るまでの、メイン制御部２０１とサブ制御部３０１の処理を説明するタイミングチャートである。図６において、図４と同じ処理には同じ参照数字を付し、説明を省略する。
【００５６】
なお、本実施形態においては、電源ＯＦＦ時に、メイン制御部２０１は、第１の実施形態と異なり、次回の起動時に表示すべき情報をサブ制御部３０１へ送信しない。その代わりに、メイン制御部２０１は、放送元情報及び音量情報をメモリ２０３へ保存しているものとする。また、サブ制御部３０１は、シャットダウン要求送信後、所定時間後に自身の電源をＯＦＦするものとする。
【００５７】
スタンバイ状態において、ユーザがリモコンの電源ボタンを押下する（Ｓ１１５）。現状は電源ＯＦＦ状態であるから、リモコン受光部３０５は電源操作指示が電源ＯＮ要求であると理解する。これにより、リモコン受光部３０５は、サブ制御部３０１を起動させる起動信号を出力する。
【００５８】
サブ制御部３０１は起動信号に応答して、サブディスプレイ１０３含む制御対象の各部への電源供給を始めとする起動処理を行う。起動後、メイン制御部２０１に対してシステム起動要求を送信する（Ｓ１１７）。
【００５９】
メイン制御部２０１が起動要求を受信すると、メイン制御部２０１におけるＬｏａｄｅｒ２０１ａが起動（Ｓ２０５）する。Ｌｏａｄｅｒ２０１ａは、いわゆるブートローダであり、メイン制御部２０１内の図示しない不揮発性メモリに記憶されたプログラムである。Ｌｏａｄｅｒ２０１ａはメイン制御部２０１の起動処理に先立って動作し、メイン制御部２０１が実行するための制御プログラムをメモリ２０３からメイン制御部２０１内部のメモリに転送して実行させる。メイン制御部２０１は、転送された制御プログラムを実行して各部を制御することにより、テレビジョン受像機１００の機能を実現する。
【００６０】
Ｌｏａｄｅｒ２０１ａは、サブディスプレイ１０３に表示すべき放送元情報及び音量情報をメモリ２０３から読み出し、サブ制御部３０１へ送信する（Ｓ２０７）。その後、Ｌｏａｄｅｒ２０１ａはメイン制御部２０１がテレビジョン受像機１００を制御するためのプログラムをメモリ２０３から読み出し、メイン制御部２０１へ転送して実行させる（Ｓ２１１）。さらに、Ｌｏａｄｅｒ２０１ａはデコーダ２０９を起動する（Ｓ２１３）。
【００６１】
サブ制御部３０１は、Ｓ２０７で受信した放送元情報及び音量情報を、メモリ３０７に保存するとともに、サブディスプレイ１０３に表示させる（Ｓ１２１）。
【００６２】
デコーダ２０９の起動が完了すると、メイン制御部２０１は、サブ制御部３０１に対して起動完了通知を送信する（Ｓ１２７）。本実施形態において、サブ制御部３０１は、起動完了通知を受信すると、サブディスプレイ１０３への送信元情報及び音量情報の表示を中止する（Ｓ２１７）。
【００６３】
本実施形態によれば、電源ＯＦＦの指示に応答して、第１の制御部（メイン制御部２０１）が、次回の起動時に第２の表示部（サブディスプレイ１０３）に表示すべき情報（例えば放送元情報や音量情報）を記憶し、待機状態に移行する。
【００６４】
待機状態で電源ＯＮの指示があると、起動時間の短い第２の制御部が先ず起動し、第１の制御部の起動を開始させる。第１の制御部の起動時に最初に動作を開始するブートローダが、記憶された情報を第２の制御部に転送する。第２の制御部は、転送された情報を第２の表示部に表示する。そのため、第１の制御部の起動が完了せず、第１の表示部に映像を表示できない間も、第２の表示部を通じて情報をユーザに提供することができる。
【００６５】
このように、本実施形態は本質的に第１の制御部から第２の制御部へ、第２の表示部に表示すべき情報を送信するタイミングが第１の実施形態と異なるものであり、第１の実施形態と同様の効果を実現できる。
【００６６】
（第３の実施形態）
次に、本発明の第３の実施形態について説明する。なお、本実施形態に係る表示装置も第１の実施形態で説明したテレビジョン受像機１００と同様の外観であるとする。
【００６７】
図７は、本実施形態のテレビジョン受像機１００’の機能構成例を示すブロック図である。図７において、図２に示した第１及び第２の実施形態のテレビジョン受像機１００と共通の構成には同じ参照数字を付し、重複する説明は省略する。
【００６８】
図２と図７との比較から分かるように、本実施形態のテレビジョン受像機１００’には、メイン制御部２０１とサブ制御部３０１との間に、両者からアクセス可能な共有メモリ６０１が新たに設けられている。また、予約処理などに用いられる時計（タイマ）３０３がサブ制御部３０１に接続されている。
【００６９】
また、本実施形態においては、サブ制御部３０１はテレビジョン受像機１００’がスタンバイ状態であっても電源ＯＦＦせず、常時動作している。すなわち、電源ＯＦＦ時の処理において、サブ制御部３０１は、シャットダウン要求をメイン制御部２０１へ送信する処理のみを行う。
【００７０】
図８は、本実施形態のテレビジョン受像機１００’が共有メモリ６０１に保持するデータの例を示す図である。
１００１は共有メモリ６０１のアドレス、１００３は各アドレスに保持されるデータ内容（データ名）、１００５はデータの具体的な値、１００７はフラグ値をそれぞれ示している。
【００７１】
フラグ値１００７は、対応するデータ（データ内容１００３及びデータ値１００５のうち、少なくともデータ値１００５）をサブディスプレイ１０３に表示する条件を規定している。データ内容１００３、データ値１００５及びフラグ値１００７は、メイン制御部２０１が書き込む。また、フラグ値１００７は、メイン制御部２０１が、予め用意されたフラグ設定テーブルに基づいて、データごとに設定する。フラグ値１００７は「０」、「１」、「２」のいずれかの値を有し、値の意味は以下の通りである。
【００７２】
「０」は、メイン制御部２０１が電源ＯＦＦ中には表示せず、メイン制御部２０１が電源ＯＮ中であれば表示することを意味する。
「１」は、メイン制御部２０１が電源ＯＦＦ中から電源ＯＮに切り替わった時に表示することを意味する。
「２」は、時刻の一致など、メイン制御部２０１が電源ＯＦＦ中か電源ＯＮ中かとは別の条件を満たした際に表示するデータであることを意味する。
【００７３】
従って、共有メモリ６０１のアドレス「１」〜「２」に保持される『ＬＡＳＴ Ｃｈ：８８』『ＬＡＳＴ Ｖｏｌ：２０』（ラストチャンネル，ラスト音量）は、メイン制御部２０１が電源ＯＮとなったことに応じて、サブディスプレイ１０３に表示される。
【００７４】
また、録画予約データの『Ｃｈ７７（１０：００）：ＺＺＺ』は、メイン制御部２０１が電源ＯＮの場合には、時刻が１０：００の例えば５分前になったら、サブディスプレイ１０３に表示される。しかし、メイン制御部２０１が電源ＯＦＦの場合には、時刻が１０：００の５分前になってもサブディスプレイ１０３に表示されない。
【００７５】
また、視聴予約データの『Ｃｈ８８（０：００〜）：ＡＡａａ』は、時刻が０：００の例えば５分前になったら、メイン制御部２０１の電源状態にかかわらず、サブ制御部３０１がサブディスプレイ１０３に表示する。
【００７６】
フラグ設定テーブルには、データの種別と対応するフラグ値とが予め登録されており、メイン制御部２０１は、予め定められたイベント（本実施形態では電源ＯＦＦ、録画予約、視聴予約）が発生した際に、フラグ設定テーブルに応じたフラグ値の設定を行う。
【００７７】
例えば、ラストチャンネル、ラスト音量は、電源ＯＦＦ時にフラグ「１」を設定する。また、録画予約データは、録画予約された際にフラグ「０」を設定する。また、視聴予約データは、視聴予約された際にフラグ「２」を設定する。
【００７８】
これらの、データの種類とフラグ値との対応は例示であり、他の組み合わせであっても良いことは言うまでもない。また、他の種類のデータや、他の表示条件を規定するフラグを定めても良い。
【００７９】
なお、テレビジョン受像機１００’の電源を所定時間後にＯＦＦさせるＯＦＦタイマーの設定がなされている場合、メイン制御部２０１は、ＯＦＦタイマーの実行時に電源ＯＦＦイベントが発生したものとしてデータの書き込み及びフラグ値の設定を行うことができる。
【００８０】
サブ制御部３０１は、定期的に（例えば毎分）共有メモリ６０１を参照し、フラグ値と、メイン制御部２０１の電源状態や時計３０３が示す現在時刻とから、表示すべきデータの有無を確認する。そして、条件に合致したデータが有れば、共有メモリ６０１から読み出して、サブディスプレイ１０３に表示させる。
【００８１】
メイン制御部２０１の電源状態は、都度確認しても良いし、シャットダウン要求送信後、システム起動完了通知を受信するまでは電源ＯＦＦ状態として判断するなど、任意の方法で判断することができる。
【００８２】
なお、共有メモリ６０１に保持されているデータを表示する際、保持されているデータそのものではなく、ユーザに提示するために好ましいメッセージの形式などに加工してから表示してもよい。
【００８３】
以上説明したように、本実施形態によれば、第２の表示部に表示すべき情報を、第１及び第２の制御部の両方からアクセス可能な共有メモリに保持するとともに、第２の表示部を制御する第２の制御部は常時電源ＯＮ状態とする。これにより、第１の制御部が電源ＯＦＦ状態であっても、例えば視聴予約時刻に近づいたことなど、ユーザに有用な情報を第２の表示部を通じてユーザに通知することができる。
【００８４】
また、第２の表示部に表示すべき情報ごとに、表示条件を規定する情報としてのフラグを設定できるので、情報の内容や種類に応じて適切なタイミングで情報表示を行うことができる。
【００８５】
（第４の実施形態）
次に、本発明の第４の実施形態について説明する。なお、本実施形態に係る表示装置は第３の実施形態で説明したテレビジョン受像機１００’と同様の外観、機能構成であってよいため、重複する説明は省略する。
【００８６】
本実施形態のテレビジョン受像機１００’は、スタンバイ状態において、サブディスプレイ１０３のみの表示により、視聴予約又は録画予約の確認を可能とする。
そのため、第３の本実施形態と同様、本実施形態においても、サブ制御部３０１はテレビジョン受像機１００’がスタンバイ状態であっても電源ＯＦＦせず、常時動作しているものとする。
【００８７】
本実施形態において、視聴予約又は録画予約のデータ（以下、まとめて予約データという）は、メイン制御部２０１が共有メモリ６０１に書き込むものとする。
図９は、本実施形態のテレビジョン受像機１００’において、共有メモリ６０１に保持された予約データの例を示す図である。
【００８８】
１２０１は予約番号、１２０２は予約種別、１２０３は予約日、１２０５は予約開始時刻、１２０７は予約終了時刻、１２０９は予約対象チャンネル番号、１２１１は予約対象番組名をそれぞれ示している。
【００８９】
例えば、予約番号１２０１が０００００１の予約は、録画予約であり、開始日時が4月26日21時00分であり、終了日時が21時54分である。予約対象は88チャンネルで、同時間帯の番組名は「ＡＡＡスペシャル」である。
【００９０】
図１０は、本実施形態のテレビジョン受像機１００’が、スタンバイ状態にサブディスプレイ１０３に表示した予約確認表示の例を示す図である。
スタンバイ状態において、メイン制御部２０１やメインディスプレイ１０１は電源ＯＦＦであり、メインディスプレイ１０１には何も表示をしていない。しかし、本実施形態においては上述のように、スタンバイ状態においてもサブ制御部３０１やリモコン受光部３０５は電源ＯＮ状態であり、図示しないリモコン（図外）の操作を検知することができる。
【００９１】
そして、例えばリモコンの予約確認ボタンが押下されると、サブ制御部３０１は、リモコン受光部３０５を通じて予約確認要求を受信する。サブ制御部３０１は、サブディスプレイ１０３の電源がＯＦＦであればＯＮするとともに、共有メモリ６０１から例えば予約番号の一番古い予約データを読み出し、サブディスプレイ１０３上に表示させる。
【００９２】
また、サブ制御部３０１は、リモコン操作に応じ、サブディスプレイ１０３に表示させる予約データを切り替える。例えば、リモコンの方向（矢印）キーの操作に応じて、表示する予約データを順次切り替えることができる。
【００９３】
このように、本実施形態によれば、ユーザは、テレビジョン受像機１００’の電源をＯＮさせることなく、スタンバイ状態のままで予約内容を確認することが可能である。そのため、予約確認のためにテレビジョン受像機１００’が起動するまで待つ必要がない。
【００９４】
なお、本実施形態で、予約データは共有メモリ６０１に保持されているものとして説明した。しかし、第１の実施形態のテレビジョン受像機１００のように、メイン制御部２０１が電源ＯＦＦ時にサブ制御部３０１へ予約データを転送し、サブ制御部３０１が予約データをメモリ３０７に保存する構成であってもよい。この場合、予約データの表示、変更はメモリ３０７に保持したデータを用い、メモリ３０７に保存した予約データが変更された場合には、次にメイン制御部２０１が起動した際に、サブ制御部３０１からメイン制御部２０１へ変更後の予約データを通知すればよい。
【図面の簡単な説明】
【００９５】
【図１】本発明の第１の実施形態に係る表示装置の一例としてのテレビジョン受像機を画面側から見た外観の例を示す図である。
【図２】本発明の第１の実施形態のテレビジョン受像機１００の機能構成例を示すブロック図である。
【図３】本発明の第１の実施形態のテレビジョン受像機１００における、システム起動直後の表示状況の例を示している。
【図４】本発明の第１の実施形態のテレビジョン受像機１００が電源ＯＮの状態から、電源ＯＦＦされ、再度電源ＯＮの状態に至るまでにおける、メイン制御部２０１とサブ制御部３０１の処理を説明するタイミングチャートである。
【図５】本発明の第１の実施形態のテレビジョン受像機１００において、システム起動要求を出力してから、システム起動完了通知を受信するまでの間にサブ制御部３０１が行う処理を示すフローチャートである。
【図６】本発明の第２の実施形態のテレビジョン受像機１００が電源ＯＦＦされた状態から電源ＯＮの状態に至るまでの、メイン制御部２０１とサブ制御部３０１の処理を説明するタイミングチャートである。
【図７】本発明の第３の実施形態のテレビジョン受像機１００’の機能構成例を示すブロック図である。
【図８】本発明の第３の実施形態のテレビジョン受像機１００’が共有メモリ６０１に保持するデータの例を示す図である。
【図９】本発明の第４の実施形態のテレビジョン受像機１００’において、共有メモリ６０１に保持された予約データの例を示す図である。
【図１０】本発明の第４の実施形態のテレビジョン受像機１００’が、スタンバイ状態にサブディスプレイ１０３に表示した予約確認表示の例を示す図である。
【図１】
0005132274.tif 000002
【図２】
0005132274.tif 000003
【図３】
0005132274.tif 000004
【図４】
0005132274.tif 000005
【図５】
0005132274.tif 000006
【図６】
0005132274.tif 000007
【図７】
0005132274.tif 000008
【図８】
0005132274.tif 000009
【図９】
0005132274.tif 000010
【図１０】
0005132274.tif 000011